(57)【要約】【課題】簡単な構造であって、低コストで製造することができ、より広角の配光特性が得られる電球形ＬＥＤランプを提供する。【解決手段】少なくとも１つの発光ダイオード素子を備えた光源と、光源を覆う透光性材料からなるカバーと、光源の前方に配置され、光源から出射された光の一部を反射させて所望の配光特性を得るための配光制御部材とを備えている。配光制御部材は、光源から出射された光の一部を反射する反射面である円錐面若しくは角錐面、又は円錐台面若しくは角錐台面を備えている。【選択図】 図１
2014170737.tif 000002
【特許請求の範囲】
【請求項１】
少なくとも１つの発光ダイオード素子を備えた光源と、
前記光源を覆う透光性材料からなるカバーと、
前記光源の前方に配置され、該光源から出射された光の少なくとも一部を反射させて所望の配光特性を得るための配光制御部材とを備え、
前記配光制御部材は、前記光源から出射された光の少なくとも一部を反射する反射面である円錐面若しくは角錐面、又は円錐台面若しくは角錐台面を備えていることを特徴とする電球形ＬＥＤランプ。
【請求項２】
前記配光制御部材は、互いに同軸に設けられ光軸方向に２段構造に形成されており、互いに異なる頂角角度を有する円錐面と円錐台面とを備えていることを特徴とする請求項１に記載の電球形ＬＥＤランプ。
【請求項３】
前記配光制御部材は、互いに同軸に設けられ光軸方向に２段構造に形成されており、互いに異なる頂角角度を有する角錐面と角錐台面とを備えていることを特徴とする請求項１に記載の電球形ＬＥＤランプ。
【請求項４】
前記配光制御部材は、前記光源から出射された光を通過させる少なくとも１つの貫通孔を備えていることを特徴とする請求項１から３のいずれか１項に記載の電球形ＬＥＤランプ。
【請求項５】
前記配光制御部材は、前記カバー内部において該カバーに固着されていることを特徴とする請求項１から４のいずれか１項に記載の電球形ＬＥＤランプ。
【請求項６】
少なくとも前記カバーを覆う透光性材料からなる外カバーをさらに備え、
前記配光制御部材は、前記外カバー内部において該外カバーに固着されていることを特徴とする請求項１から４のいずれか１項に記載の電球形ＬＥＤランプ。
【請求項７】
前記光源と前記配光制御部材との間に、前記光軸方向と平行に設けられる複数枚の板からなる、光を周りへ反射するための反射部材をさらに備え、
前記反射部材の複数枚の板は、前記光軸から外周方向に放射状に配置されていることを特徴とする請求項１から６のいずれか１項に記載の電球形ＬＥＤランプ。
【請求項８】
前記配光制御部材は、非透光性材料から形成されていることを特徴とする請求項１から７のいずれか１項に記載の電球形ＬＥＤランプ。
【発明の詳細な説明】
【技術分野】
【０００１】
本発明は、白熱電球用のソケットに取付け可能な口金を有し、ＬＥＤ（発光ダイオード）素子を光源として用いる電球形ＬＥＤランプに関する。
【背景技術】
【０００２】
近年、消費電力が少ない、寿命が長いなど種々の利点があるＬＥＤ素子を利用した白熱電球形のＬＥＤランプが開発され、様々な分野で広く利用されている。このようなＬＥＤランプは、従来の白熱電球用やハロゲン電球用のソケットに取付けて使用できるように構成されている。
【０００３】
ＬＥＤ素子自体が指向性の高い配光特性を有するため、これを実際の照明器具に使用する場合は、光を拡散する配光レンズを設けてＬＥＤの周囲に広く配光させることが重要である。図１０は、従来の電球形ＬＥＤランプの概略図であり、同図（ａ）は、半球状のカバーを有する電球形ＬＥＤランプ、同図（ｂ）は、フラットカバーを有する電球形ＬＥＤランプをそれぞれ示している。
【０００４】
図１０（ａ）に示す電球形ＬＥＤランプ１は、口金１０と、ヒートシンク２０と、駆動電源部３０と、光源４０と、レンズ５０と、カバー６０とを備えている。この場合、出射光の配光範囲（照射角度）は約１８０度となる。また、図１０（ｂ）に示す電球形ＬＥＤランプ２は、口金１０と、ヒートシンク２０と、駆動電源部３０と、光源４０と、レンズ５０と、カバー６０Ａとを備えている。この場合、出射光の配光範囲（照射角度）は約６０度となる。
【０００５】
また、光源の前方に一つ大きな配光制御用レンズを設けた電球形照明用ＬＥＤランプが提案されている（例えば、特許文献１）。
【０００６】
特許文献１に記載の電球形照明用ＬＥＤランプは、ＬＥＤ光源の前方に出射光を横方向に拡散させる樹脂製の半球状のレンズを設けた構成となっている。
【先行技術文献】
【特許文献】
【０００７】
【特許文献１】特開２００８−１８６７５８号公報
【発明の概要】
【発明が解決しようとする課題】
【０００８】
しかしながら、特許文献１に開示された電球形照明用ＬＥＤランプにおいては、半球状のレンズは光を横方向に拡散させるのみであり、配光範囲（照射角度）は、図１０（ａ）に示す従来の半球状のカバーを有する電球形ＬＥＤランプ１のように、たかだか約１８０度にすぎないという問題があった。
【０００９】
さらに、従来の電球形ＬＥＤランプにおいては、出射光の拡散が透明性素材から形成されたレンズの屈折によって行われているため、光を効率よく拡散させることができず、１８０度を超える広角の配光特性を得ることが困難であった。
【００１０】
従って、本発明は従来技術の上述した問題点を解消するものであり、本発明の目的は、簡単な構造であって、低コストで製造することができ、より広角の配光特性が得られる電球形ＬＥＤランプを提供することにある。
【課題を解決するための手段】
【００１１】
本発明によれば、電球形ＬＥＤランプは、少なくとも１つのＬＥＤ素子を備えた光源と、光源を覆う透光性材料からなるカバーと、光源の前方に配置され、光源から出射された光の少なくとも一部を反射させて所望の配光特性を得るための配光制御部材とを備えている。配光制御部材は、光源から出射された光の少なくとも一部を反射する反射面である円錐面若しくは角錐面、又は円錐台面若しくは角錐台面を備えている。
【００１２】
配光制御部材が反射面である円錐面若しくは角錐面、又は円錐台面若しくは角錐台面を備える簡単な構造であることから、低コストで製造することができ、より広角の配光特性を得ることができる。
【００１３】
配光制御部材は、互いに同軸に設けられ光軸方向に２段構造に形成されており、互いに異なる頂角角度を有する円錐面と円錐台面と、又は角錐面と角錐台面とを備えていることが好ましい。このように、所望する配光特性（照射角度）に応じて、反射面の頂角角度をそれぞれ設計することができ、より広角の配光特性を得ることができる。
【００１４】
配光制御部材は、光源から出射された光を通過させる少なくとも１つの貫通孔を備えていることが好ましい。このように、光源前方への光照射を確保することができ、より均一な配光を得ることが可能となる。
【００１５】
配光制御部材は、カバー内部においてこのカバーに固着されていることも好ましい。このように構成することにより、ＬＥＤランプの形状を変更せずに、より広角の配光特性を得ることができる。
【００１６】
少なくともカバーを覆う透光性材料からなる外カバーをさらに備え、配光制御部材は、外カバー内部においてこの外カバーに固着されていることも好ましい。このように構成することによって、既設のＬＥＤランプ及び器具を流用することができ、廃棄費用及び制作コストの削減を図ることができる。
【００１７】
光源と配光制御部材との間に、光軸方向と平行に設けられる複数枚の板からなる、光を周りへ反射するための反射部材をさらに備え、反射部材の複数枚の板は、光軸から外周方向に放射状に配置されていることも好ましい。このように構成することによって、光源及び配光制御部材から入射された光を周りに反射することができ、光源の発光量を増加せずに、見かけ発光面積が大きくなり、単位面積当たりの光束が低くなるため、グレアは低減され、通行者からの視認性を高めると共に通行者に光害を与える可能性が低くなり、安全性が高くなる。
【００１８】
配光制御部材は、非透光性材料から形成されていることも好ましい。
【発明の効果】
【００１９】
本発明によれば、配光制御部材が反射面である側面を有する円錐面若しくは角錐面、又は円錐台面若しくは角錐台面を備える簡単な構造であることから、低コストで製造することができ、より広角の配光特性を得ることができる。また、公園や駐車場等に利用される場合、通行者からの視認性を高めると共に通行者に光害を与える可能性が低くなり、安全性の高いＬＥＤランプを得ることができる。
【図面の簡単な説明】
【００２０】
【図１】本発明の第１の実施形態における電球形ＬＥＤランプの構成を概略的に示す部分断面図である。
【図２】本発明の電球形ＬＥＤランプの配光制御部材の他の例を示す平面図である。
【図３】本発明の第２の実施形態における電球形ＬＥＤランプの構成を概略的に示す断面図である。
【図４】本発明の第３の実施形態における電球形ＬＥＤランプの構成を概略的に示す断面図である。
【図５】本発明の第４の実施形態における電球形ＬＥＤランプの構成を概略的に示す断面図である。
【図６】本発明の第５の実施形態における電球形ＬＥＤランプの構成を概略的に示す断面図である。
【図７】既設の灯具に装着した場合の本発明の電球形ＬＥＤランプの配光範囲（照射角度）を示す図である。
【図８】本発明の第６の実施形態における電球形ＬＥＤランプの構成を概略的に示す断面図である。
【図９】本発明の第７の実施形態における電球形ＬＥＤランプの構成を概略的に示す断面図である。
【図１０】従来の電球形ＬＥＤランプの構成及び配光範囲（照射角度）を概略的に示す部分断面図である。
【発明を実施するための形態】
【００２１】
以下、本発明に係る電球形ＬＥＤランプの実施形態を、図を参照して説明する。
【００２２】
図１は本発明の第１の実施形態における電球形ＬＥＤランプ１００の構成及び配光特性を示している。
【００２３】
図１に示すように、電球形ＬＥＤランプ１００は、口金１０と、ヒートシンク２０と、駆動電源部３０と、光源４０と、レンズ５０と、カバー６０と、配光制御部材７０とを備えている。
【００２４】
口金１０は、商用電源から電力供給されるソケットに螺合するものである。この口金１０は、従来の白熱電球用ソケット（例えば、Ｅ２６タイプ）に取付けることが可能なものである。図示されていないが、外部から商用電源を入力するための口金１０とヒートシンク２０との間には絶縁材が介在している。
【００２５】
ヒートシンク２０は、熱伝導性の高い材料、例えば、アルミ等の金属材料から構成され、側面が略円錐台面から成る筒状に形成されている。このヒートシンク２０を介して光源４０からの発熱を効率良く外部に伝達することができる。
【００２６】
駆動電源部３０は、商用電源より供給された交流電流を整流し、ＬＥＤ素子を駆動する直流電流に変換するための整流回路及び平滑用コンデンサを備えている。この駆動電源部３０には、例えば定電流電源回路又は定電圧電源回路が実装されている。また、駆動電源部３０は、ヒートシンク２０の内部に配置されている。
【００２７】
光源４０は、基板４１上に実装された複数のＬＥＤ素子４２から構成されている。各ＬＥＤ素子４２としては、チップ型発光ダイオード又は砲弾型発光ダイオードが用いられる。この実施形態においては、チップ型発光ダイオードを用いている。また、光源４０は、所望の消費電力、色温度、及び演色性等に応じて多様に製作することが可能である。
【００２８】
レンズ５０は、各光源４０から出射する光を拡散するためのものである。本実施形態において、レンズ５０は、各ＬＥＤ素子４２の前面に配置されている。
【００２９】
カバー６０は、透明又は半透明樹脂を成型することにより形成されている。この例において、カバー６０は、光源４０及び配光制御部材７０を覆うドーム状に形成され、ヒートシンク２０の一端に密封的に固着されている。なお、カバー６０にレンズ機能を持たせるようにしてもよい。また、カバー６０をガラスで形成してもよい。
【００３０】
配光制御部材７０は、カバー６０の内部でありかつ光源４０の前方のこの電球形ＬＥＤランプ１００の中心軸（光軸）上に同軸に配置され、光源４０から出射された光の少なくとも一部をその表面で反射させ所望の配光特性を得ようとするためのものである。配光制御部材７０は、広がったその周端の全て又は一部が、例えば接着剤でカバー６０に固着されている。また、配光制御部材７０は、透光性若しくは非透光性樹脂材料又はアルミ等の金属材料から形成され、光を反射する反射面としての側面７１ａが円錐面とされている。配光制御部材７０のこの側面（反射面）７１ａには、光の反射率が高い反射膜を形成する等の表面処理を施すことが好ましい。配光制御部材７０を例えば樹脂材料で形成した場合は、メッキ又はアルミ蒸着等の表面処理を行うことで、光の反射率を向上させることができる。また、配光制御部材７０は、経年劣化や紫外線及び薬品による劣化に強い材料を用いることが好ましい。さらに、配光制御部材７０の大きさ、円錐の頂角の角度、及び光源４０との間の距離等を変更することで、所望の配光特性を得ることが可能である。例えば、放射角度の極めて狭い光源から光が全て配光制御部材７０の側面（反射面）７１ａに入射されて反射される（即ち、無反射光は理論上にゼロとなる）配光特性も得られる。また、光源から光が配光制御部材７０の側面（反射面）７１ａによって横方向のみに反射される配光特性も得られる。
【００３１】
なお、配光制御部材７０は、図２に示す形状に形成されてもよい。同図（ａ）〜（ｇ）は、配光制御部材７０ａ〜７０ｇの上面図及び側面図をそれぞれ示している。同図において、（ａ）は四角錐形状の配光制御部材７０ａを示しており、（ｂ）は六角錐形状の配光制御部材７０ｂを示しており、（ｃ）は円錐台形状であり上底の中央部に貫通孔７３が形成されている配光制御部材７０ｃを示しており、（ｄ）は四角錐台形状でありその上底の中央部に貫通孔７３が形成されている配光制御部材７０ｄを示しており、（ｅ）は六角錐台形状であり上底にこの上底と同じ形状の貫通孔７３が形成されている配光制御部材７０ｅを示しており、（ｆ）は軸方向に２段構造となるように異なる頂角角度を有する２つの円錐台が同軸に設けられ、かつ上底の中央部に貫通孔７３が形成されている配光制御部材７０ｆを示しており、（ｇ）は軸方向に２段構造となるように異なる頂角角度を有する四角錐台が同軸に設けられかつ上底の中央部に貫通孔７３が形成されている配光制御部材７０ｇを示している。
【００３２】
このように、本実施形態においては、電球形ＬＥＤランプ１００は、口金１０と、ヒートシンク２０と、駆動電源部３０と、光源４０と、レンズ５０と、カバー６０と、配光制御部材７０とを備え、配光制御部材７０は、光を反射する反射面として側面が円錐面又は角錐面である。光源から出射された光の一部はこの配光制御部材７０の反射面に到達した後、周囲に反射される。
【００３３】
これにより、従来の電球形ＬＥＤランプに配光制御部材７０を追加するだけの簡単な構造を有しているため低コストで製造することができ、しかも、より広角の配光特性が得られる。
【００３４】
また、配光制御部材７０は、カバー６０の内部に配置されていることで、ＬＥＤランプの形状を変更せずにより広角の配光特性を達成することができる。さらに、配光制御部材７０は、接着剤でカバー６０に固着されているため、光源４０側に取付け用機構を設ける必要がない。このため、構成がより簡単になる。
【００３５】
また、図２（ｃ）〜（ｇ）に示すように配光制御部材７０ｃ〜７０ｇの中央部に貫通孔７３を形成すれば、一部の光を通過させて光源前方への光照射を確保することができ、より均一な配光を得ることができる。また、図２（ｆ）及び（ｇ）に示す配光制御部材７０ｆ及び７０ｇのように、軸方向に２段構造となるように異なる頂角角度を有する円錐台又は四角錐台を同軸に設けた場合は、より広角の配光特性を得ることができる。
【００３６】
図３は本発明の第２の実施形態における電球形ＬＥＤランプ２００の構成及び配光特性を示している。
【００３７】
図３に示すように、電球形ＬＥＤランプ２００は、口金１０と、ヒートシンク２０と、駆動電源部３０と、光源４０と、レンズ５０と、カバー６０と、配光制御部材７０Ａとを備えている。本実施形態における電球形ＬＥＤランプ２００の各部の構成は、カバー６０及び配光制御部材７０Ａの形状を除いて上述した第１の実施形態における電球形ＬＥＤランプ１００の場合と同様であり、従って、ここでは、カバー６０及び配光制御部材７０Ａ以外の詳細な説明は省略する。
【００３８】
本実施形態の配光制御部材７０Ａは、非透光性樹脂材料又はアルミ等の金属材料から形成され、軸方向に２段構造となるように異なる頂角角度を有する円錐体部７１と円錐台部７２とが同軸に設けられ、かつ円錐体部７１及び円錐台部７２に軸方向に沿って伸長する複数の貫通孔７３が形成されている。この配光制御部材７０Ａは、カバー６０の内部でありかつ光源４０の前方のこの電球形ＬＥＤランプ２００の中心軸（光軸）上に同軸に配置され、光源４０から出射された光の一部が円錐体部７１及び円錐台部７２の反射面としての側面７１ａ及び７２ａにより周囲に反射され、所望の角度（反射光ａ及び反射光ｂ）に配光され、一部が複数の貫通孔７３を通過し、通過光として光源４０の前方へ照射するように構成されている。また、配光制御部材７０Ａの反射面に入射しない光は無反射光として配光制御部材７０Ａの周りへ照射するようになっている。配光制御部材７０Ａは、広がったその周端の全て又は一部が、例えば接着剤でカバー６０に固着されている。配光制御部材７０Ａの側面（反射面）７１ａ及び７２ａには、光の反射率が高い反射膜を形成する等の表面処理を施すことが好ましい。配光制御部材７０Ａを例えば樹脂材料で形成した場合は、メッキ又はアルミ蒸着等の表面処理を行うことで、光の反射率を向上させることができる。また、配光制御部材７０Ａは、経年劣化や紫外線及び薬品による劣化に強い材料を用いることが好ましい。さらに、配光制御部材７０Ａの大きさ、円錐の頂角の角度、及び光源４０との間の距離等を変更することで、所望の配光特性を得ることが可能である。
【００３９】
このように、本実施形態において、電球形ＬＥＤランプ２００は、配光制御部材７０Ａを設けることで、円錐台部７２の側面７２ａにより光を円錐体部７１の側面７１ａの反射方向と異なる方向に反射させることができる。このように、従来の電球形ＬＥＤランプに配光制御部材７０Ａを追加するだけの簡単な構造を有しているため低コストで製造することができ、しかも、より広角の配光特性が得られる。
【００４０】
また、配光制御部材７０Ａには、複数の貫通孔７３が形成されていることで、光源４０の前方への光照射をさらに確保することができ、より均一な配光を得ることができる。
【００４１】
図４は本発明の第３の実施形態におけるＬＥＤランプ３００の構成を示している。
【００４２】
図４に示すように、電球形ＬＥＤランプ３００は、口金１０と、ヒートシンク２０と、駆動電源部３０と、光源４０と、レンズ５０と、カバー６０と、配光制御部材７０と、外カバー８０とを備えている。本実施形態における電球形ＬＥＤランプ３００の各部の構成は、外カバー８０を有すること、及び配光制御部材７０が外カバー８０内部に配置されていることを除いて上述した第１の実施形態における電球形ＬＥＤランプ１００の場合と同様であり、従って、ここでは、外カバー８０及び配光制御部材７０の配置以外の詳細な説明は省略する。
【００４３】
外カバー８０は、透明又は半透明樹脂を成型することにより形成されている。この外カバー８０は、カバー６０を覆う例えば円筒状に形成され、この外カバー８０の一端である開口の周囲がヒートシンク２０の一端に密封的に固着されている。なお、外カバー８０をガラスで形成してもよい。
【００４４】
配光制御部材７０は、外カバー８０の開口とは反対側の他端の内面に接着剤で固着されている。この場合、円錐体の側面が反射面として光を反射させる。また、円錐体の大きさ、円錐の頂角の角度、及び光源４０との間の距離等を変更することで、所望の配光特性を得ることが可能である。
【００４５】
このように、本実施形態において、電球形ＬＥＤランプ３００は、外カバー８０を設け、配光制御部材７０を外カバー８０の内部に配置している。このため、本実施形態の電球形ＬＥＤランプ３００は、従来の電球形ＬＥＤランプ（例えば図８（ａ）に示すごとき電球形ＬＥＤランプ）を流用することができ、廃棄費用及び制作コストの削減を図ることができる。かつ従来の電球形ＬＥＤランプに配光制御部材７０と外カバー８０とを追加するだけの簡単な構造を有しているため低コストで製造することができ、しかも、より広角の配光特性が得られる。
【００４６】
図５は本発明の第４の実施形態におけるＬＥＤランプ４００の構成を示している。
【００４７】
図５に示すように、電球形ＬＥＤランプ４００は、口金１０と、ヒートシンク２０と、駆動電源部３０と、光源４０と、レンズ５０と、フラット形状のカバー６０Ａと、配光制御部材７０と、外カバー８０とを備えている。本実施形態における電球形ＬＥＤランプ４００の各部の構成は、フラット形状のカバー６０Ａ及び外カバー８０を有すること、並びに配光制御部材７０が外カバー８０内部に配置されていることを除いて上述した第１の実施形態における電球形ＬＥＤランプ１００の場合と同様であり、従って、ここでは詳細な説明は省略する。
【００４８】
このように、本実施形態に係る電球形ＬＥＤランプ４００は、上述した第３の実施形態における電球形ＬＥＤランプ３００の場合と同様な効果を得ることができる。
【００４９】
図６は本発明の第５の実施形態における電球形ＬＥＤランプ５００の構成を示している。
【００５０】
図６に示すように、電球形ＬＥＤランプ５００は、口金１０と、ヒートシンク２０と、駆動電源部３０と、光源４０と、レンズ５０と、フラット形状のカバー６０Ａと、配光制御部材７０Ａと、外カバー８０Ａとを備えている。本実施形態における電球形ＬＥＤランプ５００の各部の構成は、フラット形状のカバー６０Ａ及び外カバー８０Ａを有すること、並びに配光制御部材７０Ａが外カバー８０Ａ内部に配置されていることを除いて上述した第１の実施形態における電球形ＬＥＤランプ１００の場合と同様であり、従って、ここでは詳細な説明は省略する。
【００５１】
このように、本実施形態に係る電球形ＬＥＤランプ５００は、上述した第２及び第３の実施形態における電球形ＬＥＤランプ２００及び３００の場合と同様な効果を得ることができる。
【００５２】
図７は公園や駐車場等に使用される既設照明器具に従来の電球形ＬＥＤランプ及び本発明の第２の実施形態に係る電球形ＬＥＤランプ２００を用いた場合の配光範囲（照射角度）を示している。同図（ａ）及び（ｂ）は従来の電球形ＬＥＤランプを用いた場合、同図（ｃ）及び（ｄ）は第２の実施形態の電球形ＬＥＤランプ２００を用いた場合である。図７に示すように、本発明に係る電球形ＬＥＤランプ２００の場合は、より広角の配光特性を得ることができる。
【００５３】
なお、既設の照明器具に取付けるために、上述した電球形ＬＥＤランプ１００、２００、３００、４００及び５００の外形寸法を、既設の白熱電球と同じか、それ以下に設計することが必要である。
【００５４】
図８は本発明の第６の実施形態における電球形ＬＥＤランプ６００の構成を示している。同図（ａ）は軸方向の部分断面図であり、（ｂ）はＡ−Ａ線断面図である。
【００５５】
図８に示すように、電球形ＬＥＤランプ６００は、口金１０と、ヒートシンク２０と、駆動電源部３０と、光源４０と、レンズ５０と、カバー６０と、配光制御部材７０と、反射部材９０とを備えている。本実施形態における電球形ＬＥＤランプ６００の各部の構成は、反射部材９０を除いて上述した第１の実施形態における電球形ＬＥＤランプ１００の場合と同様である（ここで、配光制御部材７０の形状（頂角角度）は異なる）。従って、ここでは、反射部材９０以外の詳細な説明は省略する。
【００５６】
反射部材９０は、非透光性樹脂材料又はアルミ等の金属材料から形成され複数枚（本実施形態では、３枚）の板材から構成されている。反射部材９０は、光源４０と配光制御部材７０との間に、光軸方向と平行に設けられている。また、反射部材９０を構成する３枚の板材は、光軸から外周方向に放射状に配置されている。また、この実施の形態において、反射部材９０は、配光制御部材７０に固着されている。
【００５７】
このように反射部材９０を設けることで、図８に示すように、光源４０から反射部材９０に入射された光の一部は、配光制御部材７０に反射され、配光制御部材７０で周りへ反射される（例えば、Ｒ１）。また、光源４０から配光制御部材７０に入射された光の一部は、反射部材９０に反射され、反射部材９０で周りへ反射される（例えば、Ｒ２）。さらに、光源４０から反射部材９０の１つの板材に入射された光の一部は、隣接する板材に反射され、この隣接する板材で周りへ反射される場合もある（図示せず）。このように、光源４０から出射された光は、配光制御部材７０又は／及び反射部材９０により周りへ反射されることができ、光源４０の発光量を増加せずに、見かけ上の発光面積が大きくなり、単位面積当たりの光束が低くなるため、グレアは低減され、通行者からの視認性を高めると共に通行者に光害を与える可能性が低くなり、安全性が高くなる。
【００５８】
図９は本発明の第７の実施形態における電球形ＬＥＤランプ７００の構成を示している。同図（ａ）は軸方向の部分断面図であり、（ｂ）はＢ−Ｂ線断面図である。
【００５９】
図９に示すように、電球形ＬＥＤランプ７００は、口金１０と、ヒートシンク２０と、駆動電源部３０と、光源４０と、レンズ５０と、フラット形状のカバー６０Ａと、配光制御部材７０と、外カバー８０と、反射部材９０Ａとを備えている。本実施形態における電球形ＬＥＤランプ７００の各部の構成は、反射部材９０Ａを除いて上述した第４の実施形態における電球形ＬＥＤランプ４００の場合と同様である（ここで、配光制御部材７０の形状（頂角角度）は異なる）。従って、ここでは、反射部材９０Ａ以外の詳細な説明は省略する。
【００６０】
反射部材９０Ａは、非透光性樹脂材料又はアルミ等の金属材料から形成され複数枚（本実施形態では、６枚）の板材から構成されている。反射部材９０Ａは、光源４０と配光制御部材７０との間に、光軸方向と平行に設けられている。また、反射部材９０Ａを構成する６枚の板材は、光軸から外周方向に放射状に配置されている。また、この実施の形態において、反射部材９０Ａは、配光制御部材７０に固着されている。なお、反射部材板９０Ａをフラット形状のカバー６０Ａに固着しても良い。
【００６１】
このように反射部材９０Ａを設けることで、上述した第６の実施形態と同様に、光源４０から出射された光は、配光制御部材７０又は／及び反射部材９０Ａにより周りへ反射されることができ、光源４０の発光量を増加せずに、見かけ上の発光面積が大きくなり、単位面積当たりの光束が低くなるため、グレアは低減され、通行者からの視認性を高めると共に通行者に光害を与える可能性が低くなり、安全性が高くなる。
【００６２】
なお、上述した第１〜第７の実施形態の電球形ＬＥＤランプ１００、２００、３００、４００、５００、６００及び７００においては、光を拡散するレンズ５０を有する構成としたが、本発明はこれに限定されるものではない。レンズ５０なしの構成であってもよい。
【００６３】
また、上述した第１〜第７の実施形態の電球形ＬＥＤランプ１００、２００、３００、４００、５００、６００及び７００において、配光制御部材７０及び７０Ａは、接着剤でカバー６０又は外カバー８０に固着されているものとしたが、本発明はこれに限定されるものではない。例えば、ビスを用いて固定する方法、ワンタッチで固定する方法、又は特殊なクリップを介して固定する方法等を用いてもよい。
【００６４】
また、上述した第１〜第７の実施形態の電球形ＬＥＤランプ１００、２００、３００、４００、５００、６００及び７００において、配光制御部材７０及び７０Ａの径方向の寸法は、光源４０の基板４１の寸法とほぼ同じであるが、本発明はこれに限定されるものではない。所望の配光特性を得るために、各々の寸法を任意に設計することができる。
【００６５】
また、上述した第２及び第５の実施形態の電球形ＬＥＤランプ２００及び５００において、配光制御部材７０Ａの円錐体部７１と円錐台部７２に軸方向に沿って伸長する複数の貫通孔７３が形成されたものとしたが、本発明はこれに限定されるものではない。例えば、中央部の貫通孔７３は軸方向に沿って伸長するように形成され、周辺の貫通孔７３は放射方向に斜めに伸長するように周りに広がる方向に形成されてもよい。
【００６６】
また、上述した第６及び第７の実施形態の電球形ＬＥＤランプ６００及び７００において、反射部材９０と９０Ａは、それぞれ３枚と６枚の板材から構成されているものについて説明したが、本発明はこれに限定されるものではない。
【００６７】
また、上述した第１〜第７の実施形態の電球形ＬＥＤランプ１００、２００、３００、４００、５００、６００及び７００において、光源４０として複数のＬＥＤ素子４２から構成されているものについて説明したが、本発明はこれに限定されるものではない。１つのＬＥＤ素子から構成されてもよい。
【００６８】
また、上述した第１〜第７の実施形態の電球形ＬＥＤランプ１００、２００、３００、４００、５００、６００及び７００において、配光制御部材７０及び７０Ａは、光を反射する反射面のみを非透光性材料から形成するようにしてもよい。即ち、配光制御部材は、少なくとも光を反射する反射面が非透光性材料から形成される。
【００６９】
また、上述した第１〜第７の実施形態の電球形ＬＥＤランプ１００、２００、３００、４００、５００、６００及び７００において、駆動電源部３０は、ヒートシンク２０の内部に配置されている構成としたが、本発明はこれに限定されるものではない。例えば、消費電力が大きな電球形ＬＥＤランプの場合、駆動電源部を電球形ＬＥＤランプの外部に配置するようにしてもよい。
【００７０】
さらに、上述した第１〜第７の実施形態の電球形ＬＥＤランプ１００、２００、３００、４００、５００、６００及び７００において、口金１０としては、各種の白熱電球やハロゲン電球、水銀灯やナトリウム灯等のＨＩＤランプの口金（例えば、Ｅ１１、Ｅ１７、Ｅ２６、Ｅ３９、ＢＡ１５ｄ、ＢＡ１５ｓ等）に対応するもので構成することができる。また、カバー６０は、各種の白熱電球やハロゲン電球、水銀灯やナトリウム灯等のＨＩＤランプの形状に対応するもので構成することができる。
【産業上の利用可能性】
【００７１】
本発明は、電球形ランプ用ソケットに取付け可能な口金を有し、ＬＥＤ素子を光源として用いられる電球形ＬＥＤランプに利用できる。
【符号の説明】
【００７２】
１０  口金
２０  ヒートシンク
３０  駆動電源部
４０  光源
４１  基板
４２  ＬＥＤ素子
５０  レンズ
６０、６０Ａ  カバー
７０、７０Ａ、７０ａ、７０ｂ、７０ｃ、７０ｄ、７０ｅ、７０ｆ、７０ｇ、７０ｈ  配光制御部材
７１  円錐体部
７１ａ、７２ａ  側面
７２  円錐台部
７３  貫通孔
８０、８０Ａ  外カバー
９０、９０Ａ  反射部材
１００、２００、３００、４００、５００、６００、７００  電球形ＬＥＤランプ
【図１】
2014170737.tif 000003
【図２】
2014170737.tif 000004
【図３】
2014170737.tif 000005
【図４】
2014170737.tif 000006
【図５】
2014170737.tif 000007
【図６】
2014170737.tif 000008
【図７】
2014170737.tif 000009
【図８】
2014170737.tif 000010
【図９】
2014170737.tif 000011
【図１０】
2014170737.tif 000012